【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
原画像から立体視のための左眼用画像及び右眼用画像を作成する立体視用画像作成装置であって、
a) 表示部と、
b) 使用者の入力に応じて前記立体視における輻輳角を含む使用条件を決定する使用条件決定部と
c) 前記表示部に前記原画像を表示し、前記使用者に該原画像のうちの一部の範囲を注視範囲として決定させる注視範囲決定部と、
d) 前記使用条件に基づき、前記原画像における前記注視範囲の表示位置を左右のいずれか一方向にずらした左眼用画像と他方向にずらした右眼用画像とから成る立体視用画像を作成する立体視用画像作成部と、
を備えることを特徴とする立体視用画像作成装置。
【請求項２】
前記使用条件決定部が、前記立体視用画像を使用する眼精疲労回復器の種類を前記使用者に入力させることにより前記使用条件を決定することを特徴とする請求項１に記載の立体視用画像作成装置。
【請求項３】
前記立体視用画像作成部が、前記輻輳角と前記注視範囲の大きさに基づき該注視範囲を拡大することを特徴とする請求項１又は２に記載の立体視用画像作成装置。
【請求項４】
原画像から立体視のための左眼用画像及び右眼用画像を作成する立体視用画像作成方法であって、
a) 前記立体視における輻輳角を含む使用条件を決定し、
b) 前記原画像のうちの一部を注視範囲として決定し、
c) 前記使用条件に基づき、前記原画像における前記注視範囲の表示位置を左右のいずれか一方向にずらした左眼用画像と他方向にずらした右眼用画像とから成る立体視用画像を作成する、
ことを特徴とする立体視用画像作成方法。
【請求項５】
a) 箱状の本体と、
b) 前記本体の壁面に並んで形成された右眼用開口及び左眼用開口と、
c) 前記右眼用開口及び前記左眼用開口にそれぞれ取り付けられた接眼レンズであって、それぞれが無限遠光学系を形成する凸レンズと、
d) 前記本体に設けられた、右眼用画像表示領域と左眼用画像表示領域を有する表示装置を挿入するための開口であって、該表示装置を挿入することにより右眼用光路の光路上の所定の位置に前記右眼用画像表示領域を、左眼用光路の光路上の所定の位置に前記左眼用画像表示領域が配置される開口と
を備えることを特徴とする眼精疲労回復器。  
【請求項６】
前記本体が折りたたみ可能であることを特徴とする請求項５に記載の眼精疲労回復器。
【請求項７】
記憶部を有するコンピュータを、請求項１から３のいずれかに記載の立体視用画像作成装置として機能させることを特徴とするプログラム。
【手続補正２】
【補正対象書類名】明細書
【補正対象項目名】００１１
【補正方法】変更
【補正の内容】
【００１１】
上記課題を解決するために成された本発明は、原画像から立体視のための左眼用画像及び右眼用画像を作成する立体視用画像作成装置であって、
a) 表示部と、
b) 使用者の入力に応じて前記立体視における輻輳角を含む使用条件を決定する使用条件決定部と
c) 前記表示部に前記原画像を表示し、前記使用者に該原画像のうちの一部の範囲を注視範囲として決定させる注視範囲決定部と、
d) 前記使用条件に基づき、前記原画像における前記注視範囲の表示位置を左右のいずれか一方向にずらした左眼用画像と他方向にずらした右眼用画像とから成る立体視用画像を作成する立体視用画像作成部と、
を備えることを特徴とする。
【手続補正３】
【補正対象書類名】明細書
【補正対象項目名】００１９
【補正方法】変更
【補正の内容】
【００１９】
上記課題を解決するために成された本発明の別の態様は、原画像から立体視のための左眼用画像及び右眼用画像を作成する立体視用画像作成方法であって、
上記課題を解決するために成された本発明に係る立体視用画像作成方法は、
a) 前記立体視における輻輳角を含む使用条件を決定し、
b) 前記原画像のうちの一部を注視範囲として決定し、
c) 前記使用条件に基づき、前記原画像における前記注視範囲の表示位置を左右のいずれか一方向にずらした左眼用画像と他方向にずらした右眼用画像とから成る立体視用画像を作成する、
ことを特徴とする。
【手続補正４】
【補正対象書類名】明細書
【補正対象項目名】００２２
【補正方法】変更
【補正の内容】
【００２２】
また、上記立体視用画像作成装置、方法、あるいはプログラムにより作成された立体視用画像を好適に用いることができる、本発明に係る眼精疲労回復器は、
a) 箱状の本体と、
b) 前記本体の壁面に並んで形成された右眼用開口及び左眼用開口と、
c) 前記右眼用開口及び前記左眼用開口にそれぞれ取り付けられた接眼レンズであって、それぞれが無限遠光学系を形成する凸レンズと、
d) 前記本体に設けられた、右眼用画像表示領域と左眼用画像表示領域を有する表示装置を挿入するための開口であって、該表示装置を挿入することにより右眼用光路の光路上の所定の位置に前記右眼用画像表示領域を、左眼用光路の光路上の所定の位置に前記左眼用画像表示領域が配置される開口と
を備えることを特徴とする。
【手続補正５】
【補正対象書類名】明細書
【補正対象項目名】００２５
【補正方法】変更
【補正の内容】
【００２５】
本発明に係る立体視用画像作成技術を用いることにより、使用者が所望の画像から簡単に立体視用画像を作成することができる。また、これらにより作成した立体視用画像を表示するスマートフォン等の表示装置と、本発明に係る眼精疲労回復器を用いることにより、所望の立体視用画像を使用することができる。例えば、子供に人気のキャラクターの画像を原画像とする立体視用画像を作成したり、ストーリー仕立ての複数の原画像（絵本など）から立体視用画像を作成したりして使用することにより、子供にも継続的に眼精疲労の治療を行わせることができる。
【手続補正６】
【補正対象書類名】明細書
【補正対象項目名】００３２
【補正方法】変更
【補正の内容】
【００３２】
使用者が眼精疲労回復器の種類を選択すると、使用条件決定部１８aは、平行法を選択するとともに、使用者により選択された眼精疲労回復器に対応する両眼間距離、表示距離、及び視認距離を記憶部１５から読み出し、これらに基づいて輻輳角を決定し、これらを使用条件に決定する（ステップＳ１）。なお、使用者は眼精疲労回復器を選択した後、視認距離（注視範囲が視認される距離の初期値）を変更することができる。使用者により視認距離が変更されると、使用条件決定部１８aは輻輳角を再計算して使用条件を更新する。なお、使用者が眼精疲労回復器以外の装置において交差法で立体視させる画像を作成する場合には、交差法を選択し上記の各情報を数値等で入力する。
【手続補正７】
【補正対象書類名】明細書
【補正対象項目名】００３４
【補正方法】変更
【補正の内容】
【００３４】
両眼間距離Ｌの眼精疲労回復器を用いて、使用者が選択した注視範囲が視認距離ｄの位置にあると認識させる場合には、輻輳角θ1と、両眼間距離Ｌ及び視認距離ｄとの間に次式(1)が成り立つ。
【数１】
2016184865.tif 000001
上式(1)から次式(2)が得られる。
【数２】
2016184865.tif 000002
このように、両眼間距離Ｌ及び視認距離ｄから輻輳角θ1を決定することができる。
【手続補正８】
【補正対象書類名】明細書
【補正対象項目名】００３８
【補正方法】変更
【補正の内容】
【００３８】
本実施例で作成する左眼用画像と右眼用画像は眼精疲労回復器内に表示する画像であり、それぞれ左眼と右眼で平行視される。背景が同一であり注視範囲が相互にずれた２つの画像を視認すると、人間は生理的にその視差から輻輳角を求め１つの擬似立体像を作り出す。つまり、図５において、表示距離Ｄの位置に表示部１３０を配置し、左眼用画像１３１上の矢印１３２の位置と、右眼用画像１３３上の矢印１３４の位置に注視画像を表示すると、それらの視差から、１つの対象物１１０’が視認距離dに存在するかのように視認される。図５に示す関係から次式(3)が得られる。
【数３】
2016184865.tif 000003
また、式(3)を変形した式(4)から移動距離ｘを求めることができる。
【数４】
2016184865.tif 000004
【手続補正９】
【補正対象書類名】明細書
【補正対象項目名】００４２
【補正方法】変更
【補正の内容】
【００４２】
上記実施例は一例であって、本発明の趣旨に沿って適宜に変更することができる。
上記実施例では、眼精疲労回復器に表示する立体視画像を作成する場合を説明したため、平行法で視認させる左眼用画像と右眼用画像を作成したが、交差法で視認させる左眼用画像と右眼用画像を作成することもできる。この場合には、図６に示すように、注視範囲を左側（矢印１３５の位置）にずらした左眼用画像を作成し、注視範囲を右側（矢印１３６の位置）にずらした右眼用画像を作成することにより、注視範囲を視認距離ｄ’に存在するかのように視認させることができる。
【手続補正１０】
【補正対象書類名】明細書
【補正対象項目名】００４３
【補正方法】変更
【補正の内容】
【００４３】
上記実施例では、注視範囲を原画像の中央に位置する１つの範囲としたが、注視範囲の場所は任意であり、また複数の注視範囲を立体視させることもできる。複数の注視範囲を用いる場合には、個々の注視範囲について独立に使用条件を決定して、それぞれ異なる視認距離ｄとしてもよく、あるいは共通の使用条件を用いて同一の視認距離ｄとしてもよい。
【手続補正１１】
【補正対象書類名】明細書
【補正対象項目名】００５０
【補正方法】変更
【補正の内容】
【００５０】
１０…立体視用画像作成装置
１１…ＣＰＵ
１３…表示部
１４…入力部
１５…記憶部
１６…外部記録メディア読取部
１７…通信Ｉ／Ｆ
１８…立体視用画像作成プログラム
１８a…使用条件決定部
１８b…原画像決定部
１８c…注視範囲決定部
１８d…立体視画像作成部
３０…眼精疲労回復器
３１…本体
３２a、３２b…左眼用開口、右眼用開口
３３…表示部挿入用開口
３４…スマートフォン
３５a、３５b…接眼ユニット
３７a、３７b…非球面レンズ